(57)【特許請求の範囲】
【請求項１】
未開封の状態で内容物を密封することができる袋本体の上端部近傍の表裏両側にそれぞれ開封を容易とする表側および裏側の分離線を形成し、これらの分離線は、これらを用いて開封される袋本体の開口部の上端に少なくとも一部において表裏異なる高さ位置になる段差部を形成するように、表側の分離線と裏側の分離線の高さ位置を少なくとも一部において異ならせたものであり、かつ、前記分離線は袋本体の幅方向の全体において切断方向を上下に複数回湾曲させ、表裏の開口部上端の高さ位置の関係を少なくとも一回は逆転させるように袋本体の内側に密着する補強層の切れ目によって形成されたものであることを特徴とする袋体。
【請求項２】
未開封の状態で内容物を密封することができる袋本体の上端部近傍の表裏両側にそれぞれ開封を容易とする表側および裏側の分離線を形成し、これらの分離線は、これらを用いて開封される袋本体の開口部の上端に少なくとも一部において表裏異なる高さ位置になる段差部を形成するように、表側の分離線と裏側の分離線の高さ位置を少なくとも一部において異ならせたものであり、かつ、前記分離線は袋本体の幅方向の全体において切断方向を上下に複数回湾曲させ、表裏の開口部上端の高さ位置の関係を少なくとも一回は逆転させる複数の切り離しガイド片を備えることを特徴とする袋体。
【請求項３】
前記分離線によって開封された開口部の内側に形成され、この開口部を密着させることにより内容物を再び密封できるファスナーを備える請求項１または請求項２に記載の袋体。
【請求項４】
前記段差部を強調する印を設けた請求項１〜請求項３の何れかに記載の袋体。
【発明の詳細な説明】
【技術分野】
【０００１】
本発明は、袋体に関するものであり、より詳細には、内容物を封入可能であると共に開封後は内容物を取り出し易い袋体を提供するものである。
【背景技術】
【０００２】
従来より、飴や乾物などの湿気を嫌う食品や嗜好品、ビタミン剤、薬などの内容物を封入する袋体は、供給時には内容物を密封した状態で収容でき、開封によって内容物を取り出すための開口部を形成できるものがある。このような袋体は未開封であれば内容物が外気に触れることがないので内容物の変質を防止することができる。
【０００３】
図４は従来の袋体９０の構成を示す図である。図４（Ａ）に示すように、この袋体９０は未開封の状態で四辺を閉じることにより内容物を密封し外気から遮断することができる。また、袋体９０はその上端部近傍に開封を容易とする分離線９１を備え、この分離線９１の一端に切込み９２を備える。
【０００４】
使用者は切り込み９２の上下の袋体９０を指でつかみ、この切り込み９２を開くように前後に力を加えることにより、図４（Ｂ）に示すように、袋体９０を開封して開口部９３を形成し、この開口部９３から内容物を取り出すことが可能となる。また、開封した袋体９０は開口部９３の内側において、開口部９３を密着させることができるファスナー９４を備える。使用者はファスナー９４を閉じることにより再び内容物を外気から遮断した状態に密封することができる。
【先行技術文献】
【特許文献】
【０００５】
【特許文献１】実用新案登録第３０８７１９１号公報
【発明の概要】
【発明が解決しようとする課題】
【０００６】
ところが、切り込み９２から袋体９０を開封すると、開口部９３の上端が揃うように開封されてしまい、これによって開封後の袋体９０が開きにくくなることがあった。とりわけ内容物を保護するためのコーティングを施した厚手の袋体９０においては、揃った開口部９３が互いに密着しやすいので、これを容易に開くことができなかった。さらに、ファスナー９４によって開口部９３が密着させられる場合には特にこれを開くことが困難であった。
【０００７】
本発明は上述の事柄を考慮に入れてなされたものであり、内容物を密封することができる袋体を開封した後に、開口部を容易に開くことができるように構成された袋体を提供することを課題とする。
【課題を解決するための手段】
【０００８】
前記課題を解決するため、
【０００９】
【００１０】
【００１１】
【００１２】
第１発明は、未開封の状態で内容物を密封することができる袋本体の上端部近傍の表裏両側にそれぞれ開封を容易とする表側および裏側の分離線を形成し、これらの分離線は、これらを用いて開封される袋本体の開口部の上端に少なくとも一部において表裏異なる高さ位置になる段差部を形成するように、表側の分離線と裏側の分離線の高さ位置を少なくとも一部において異ならせたものであり、かつ、前記分離線は袋本体の幅方向の全体において切断方向を上下に複数回湾曲させ、表裏の開口部上端の高さ位置の関係を少なくとも一回は逆転させるように袋本体の内側に密着する補強層の切れ目によって形成されたものであることを特徴とする袋体を提供する。（請求項１）
【００１３】
前記構成によれば、分離線を用いて袋本体を開封することにより、開口部の上端に段差部を形成することができる。分離線を袋本体の表裏両側に備えることにより、より確実に段差部を形成することができる。前記分離線は袋本体を引き裂き易くするものであり、袋本体をこの分離線に沿って切り離すことができるようにする切り離しガイドを備えるものである。この切り離しガイドは袋本体の幅方向の一端から他端に渡って連続的に形成されたものであることが好ましい。この段差部は使用者が指で掴むことによりこれらを容易に引き離して袋本体の開口部を広げることができるものである。前記分離線は、表裏の開口部上端の高さ位置の関係を少なくとも一回は逆転させる段差部を形成するものであるから、使用者は段差部を左右の手でそれぞれ掴んで袋体を開くことができるので極めて扱いやすい。
補強層は袋本体の密封状態が容易に破られないようにすると共に、袋本体の開封時に袋本体の袋部分を保護して開口部を容易に形成することができる。補強層の切れ目はその他の補強層を設けた部分に比べて弱いので、この切れ目が分離線となって袋本体の開封時に切れ目に沿って袋本体を切断して開口部を形成することができる。補強層は合成樹脂フィルムからなり、袋本体に溶着または接着したものであることが好ましい。切れ目は袋本体の幅方向の一端から他端まで連続して形成してもよいが、断続的にミシン目を形成して、開封時には適度な抵抗が生じるようにしてもよい。
【００１４】
第２発明は、未開封の状態で内容物を密封することができる袋本体の上端部近傍の表裏両側にそれぞれ開封を容易とする表側および裏側の分離線を形成し、これらの分離線は、これらを用いて開封される袋本体の開口部の上端に少なくとも一部において表裏異なる高さ位置になる段差部を形成するように、表側の分離線と裏側の分離線の高さ位置を少なくとも一部において異ならせたものであり、かつ、前記分離線は袋本体の幅方向の全体において切断方向を上下に複数回湾曲させ、表裏の開口部上端の高さ位置の関係を少なくとも一回は逆転させる複数の切り離しガイド片を備えることを特徴とする袋体を提供する。（請求項２）
【００１５】
前記構成によれば、分離線を用いて袋本体を開封することにより、開口部の上端に段差部を形成することができる。分離線を袋本体の表裏両側に備えることにより、より確実に段差部を形成することができる。この段差部は使用者が指で掴むことによりこれらを容易に引き離して袋本体の開口部を広げることができるものである。前記分離線は、表裏の開口部上端の高さ位置の関係を少なくとも一回は逆転させる段差部を形成するものであるから、使用者は段差部を左右の手でそれぞれ掴んで袋体を開くことができるので極めて扱いやすい。
【００１６】
【００１７】
前記第１発明〜第２発明において、前記袋本体は例えば、合成樹脂フィルムや紙などの容易に引き裂くことができるシートからなり、内容物を外気や光から保護するための樹脂コーティングや塗装を施したものであることが好ましい。
前記段差部は表側の開口部上端と裏側の開口部上端の高さ位置に使用者の指が引っかかる程度の段差として、例えば数ｍｍ〜数十ｍｍ程度の段差を有するものであることが好ましい。分離線は袋本体の幅方向の全体において上下方向に複数回湾曲する湾曲部を有するものであることにより、開口部に複数の段差部を形成することができる。また、前記段差部は表側の開口部上端が裏側の開口部上端より高い位置となる部分と、表側の開口部上端が裏側の開口部上端より低い位置となる部分とを備えるものであることが好ましい。
【００１８】
前記分離線によって開封された開口部の内側に形成され、この開口部を密着させることにより内容物を再び密封できるファスナーを備える場合（請求項３）には、開封後の袋本体に設けたファスナーを閉じることにより、内容物を再び密封して外気から遮断することができる。ファスナーが合成樹脂からなる筋状の雄型突条と、この雄型突条を挟み込むことにより密封する溝を形成した雌型突条とからなることが考えられる。しかしながら、本発明はファスナーの形状が特定のものであることに限定されるものではない。
【００１９】
前記段差部を強調する印を設けた場合（請求項４）には、開封後の袋本体の開口部に形成された段差部を目立たせることができるので、この部分を掴んで開口部を広げやすくなる。印は着色を施した文字や図柄であってもよいが、袋本体の外面と内面の色を異ならせたものであってもよい。すなわち袋本体の内面側に光の透過を防止する金属蒸着を施す場合には、袋本体内面側の金属蒸着部分（銀色）と外面側の色の違いによって段差部に印を設けることができる。
【発明の効果】
【００２０】
前述したように、本発明によれば、袋本体を開封するときに、予め形成された分離線に沿って開口部を形成し、これによって開口部に段差部を形成することができるので、使用者が段差部を指で掴んで開口部を広げやすくなる。開口部の内側に開口部を密着させて内容物を再び密封するファスナーを設ける場合にも、密着する袋本体の表と裏に段差部があるので、開口部を広げやすい。段差部に印を設けた場合には、この印の部分を容易に掴み易くなる。
【図面の簡単な説明】
【００２１】
【図１】本発明の第１実施形態に係る袋体の構成を示す図である。
【図２】前記袋体の動作を説明する図である。
【図３】第２実施形態に係る袋体の構成および動作を説明する図である。
【図４】従来の袋体の構成を説明する図である。
【発明を実施するための形態】
【００２２】
以下、本発明の第１実施形態に係る袋体１の構成を説明する。図１，２は前記袋体１の全体構成を示す図であり、図１（Ａ）に示すように、袋体１は、未開封の状態で内容物Ｃを密封することができる袋本体２の上部の表裏両側にそれぞれ開封を容易とする表側および裏側の分離線３Ａ，３Ｂ（以下、区別が不要のときは分離線３という）を備え、この分離線３Ａ，３Ｂは、図１（Ｂ）に示すように、分離線３Ａ，３Ｂを用いて開封される袋本体２の開口部４の上端４ａ，４ｂに少なくとも一部において表裏異なる高さ位置になる段差部５Ａ，５Ｂ（以下、区別が不要のときは段差部５という）を形成するものである。
【００２３】
また、前記袋本体２の開口部４の内側には、開口部４を密着させることにより内容物Ｃを再び密封できるファスナー６を備える。さらに、７は前記分離線３の端部に設けた切込み、８ａ，８ｂは段差部５Ａ，５Ｂを強調する印である。
【００２４】
前記袋体１は例えば内容物Ｃとして例えばビタミン剤などの健康食品を収容するものであり、図１（Ａ）の拡大図に示すように、前記袋本体２は樹脂コーティング２ａを施した紙２ｂ（または合成樹脂フィルム）からなり、使用者が指で挟んで前後に容易に引き裂くことができる程度の強度を有するものである。また、紙２ｂまたは樹脂コーティング２ａには紫外線を遮断するための金属蒸着による銀色の着色を施すことにより、前記段差部５Ａ，５Ｂを強調する印８ａを設け、かつ、段差部５Ａ，５Ｂの部分この部分をつかむことを示唆する文字（本実施形態では「つかみしろ」）を印刷することにより段差部５Ａ，５Ｂを強調する印８ｂを設けている。
【００２５】
本実施形態の分離線３は袋本体２の肉厚を薄くした薄肉部の溝からなる弱化線によって形成されたものである。本実施形態における袋本体２には樹脂コーティング２ａを施しているので、袋本体２の肉厚は樹脂コーティング２ａ（補強層）によって厚く丈夫になっており、この補強層２ａの切れ目が補強層を設けた部分に比べて弱い薄肉部すなわち弱化線となり、この弱化線が分離線３となる。なお、弱化線は樹脂コーディング２ａの切れ目によって形成されたものであることに限られるものではなく、樹脂コーティング２ａの肉厚を薄く形成した薄肉部であっても、紙２ａ側に断続的に形成した切込みであってもよい。さらに、樹脂コーティング２ａの薄肉部または切れ目を破線を描くように断続的に形成してもよい。
【００２６】
本実施形態に示すように、前記分離線３は袋本体の幅方向の全体において上下方向に複数回屈曲する湾曲部３ｃ，３ｄを有するものであることにより、開口部４の上端４ａ，４ｂにも同様の段差部を形成することができる。しかしながら、段差部３ｃ，３ｄは少なくとも一つ設けられていればよい。また、湾曲部３ｃ，３ｄによって形成される表側の開口部上端４ａが裏側の開口部上端４ｂより高い位置となる部分と、表側の開口部上端４ａが裏側の開口部上端４ｂより低い位置となる部分とを備える。
【００２７】
また、分離線３Ａ，３Ｂは少なくとも一箇所の湾曲部３ｃ，３ｄを備えることにより、開封時には分離線３Ａ，３Ｂによって切り離される袋体２の開口部４の上端、すなわち、開口部上端４ａ，４ｂに、高さの異なる２つの段差部５Ａ，５Ｂが形成されるように構成している。
【００２８】
段差部５は使用者の指が引っかかる程度の段差として、例えば５ｍｍ〜１０ｍｍ程度の段差を有する側面視台形のタグを形成する。また、前記表裏の開口部上端４ａ，４ｂの高さ位置の関係は少なくとも一回は逆転することにより、２つの台形状のタグとなる段差部５Ａ，５Ｂを形成することができ、これらを両手で掴んで袋体２の開口部４を開くことができるので好ましい。しかしながら、分離線３Ａ，３Ｂを上下方向に波打つように多数湾曲させて多数の段差部５Ａ，５Ｂを形成するようにしてもよい。
【００２９】
前記ファスナー６は開封後の袋本体２の開口部４を再び閉じて気密を保った状態で密封できるように構成されており、例えば袋本体２の幅方向全域に渡って設けた筋状の雄型突条６ａと、この雄型突条６ａを挟み込むように嵌合させる形状の溝を形成した雌型突条６ｂとからなり、本実施形態では樹脂コーティング２ａの一部に形成している。
【００３０】
上記構成の袋体１は未開封の状態で袋本体２内部が紙２ｂまたは樹脂コーティング２ａにより密封されているので、内容物Ｃが外気にさらされることがなく、その劣化を抑えることができる。また、袋体１には切込み７が形成されているので、この切込み７から袋体１を容易に開封でき、図１（Ｂ）に示すように、袋体１の上端部を前記分離線３に沿って容易に引き裂くことができ、図２（Ａ）に示すように、切り離すことができる。
【００３１】
また、袋体１の上端部を分離線２によって切り離すことにより、分離線３の湾曲部３ｃ，３ｄにより段差部５Ａ，５Ｂを形成することができる。また、これらの段差部５Ａ，５Ｂの内側面にはこの段差部５Ａ，５Ｂを強調するための印８ａ，８ｂが形成されているので、使用者は段差部５Ａ，５Ｂを容易に見分けることができ、図２（Ｂ）に示すように、段差部５Ａ，５Ｂをそれぞれ、掴んで袋体１を開くことができる。
【００３２】
さらに、一度開封した袋体１であってもファスナー６を閉じることにより、袋体１内の内容物Ｃが空気などに触れないように、これを密封することができるので、袋体１によって外気から内容物Ｃを保護することができる。
【００３３】
また、本実施形態のように、袋本体２の表側の開口部４に連設された段差部５Ａと、袋本体２の裏側の開口部４に連設された段差部５Ｂとを左右にずらして形成していることにより、使用者が段差部５Ａ，５Ｂを左右の手でそれぞれ掴んで袋体１を開くことができるので極めて扱いやすい。
【００３４】
【００３５】
【００３６】
【００３７】
【００３８】
【００３９】
図３は第２実施形態に係る袋体１Ｂの構成を示す図である。図３に示す袋体１Ｂはその幅方向の複数箇所において、袋本体２の上端部の切断方向を湾曲させて、分離線３Ｇ，３Ｈの湾曲部３ｉ，３ｊを形成するための複数の切り離しガイド片２０，２１を備える。また、５Ｄは分離線３Ｇ，３Ｈに沿って開封された袋体１Ｂに形成される段差部である。その他の点については、図１〜図２と同じ符号を付すことにより、重複説明を避ける。
【００４０】
本実施形態の切り離しガイド片２０，２１は複数の片２０ａ，２０ｂ，２０ｃ、２１ａ，２１ｂ，２１ｃを備えるものである。また、図３（Ａ）に一点鎖線で示すように、ガイド片２０ａ，２０ｂ，２０ｃは袋本体１Ｂの表側の内側面において斜め方向にそれぞれ接着または溶着されてた帯状の補強シートである。すなわち、ガイド片２０ａ，２０ｂ，２０ｃは袋体１Ｂを切り込み７から手で引き裂いたときに引き裂く力をガイド片２０ａによって上方に案内し、ガイド片２０ｂによって下方に案内し、さらに、ガイド片２０ｃによって再び上方に案内するように斜めに配置されている。
【００４１】
他方、ガイド片２１ａ，２１ｂ，２１ｃは袋体１Ｂの裏側の内側面にそれぞれ接着または溶着された帯状の補強シートである。すなわち、ガイド片２１ａ，２１ｂ，２１ｃは袋体１Ｂを前記切り込み７から切り裂くときに引き裂く力をガイド片２１ａによって下方に案内し、ガイド２１ｂによって再び下方に案内し、さらに、ガイド片２１ｃによって再び上方に案内するように斜めに配置されている。
【００４２】
つまり、言い換えるなら表側の内側面に取り付けられたガイド片２０ａ，２０ｂ，２０ｃと裏側の内側面に取り付けられたガイド片２１ａ，２１ｂ，２１ｃは互いに交差するように取り付けられており、これらのガイド片２０，２１を備えることによって分離線３Ｇ，３Ｈを湾曲部３ｉ，３ｊの部分において上下方向に湾曲させている。
【００４３】
図３（Ｂ）に示すように、上記構成の袋体１Ｂは、これを切り込み７から引き裂いたときに、切り離しガイド片２０，２１によって切り離す方向を適宜にガイドできるので、袋体１Ｂを分離線３Ｇ，３Ｈに沿って切り離すことができ、段差部５Ｄを形成することができる。つまり、使用者は段差部５Ｄを用いて袋体１Ｂを容易に開くことができる。
【符号の説明】
【００４４】
１，１Ｂ 袋体
２ 袋本体
３ 分離線
３Ａ，３Ｂ… 弱化線
４ 開口部
４ａ，４ｂ 開口部上端
５Ａ，５Ｂ… 段差部
６ ファスナー
７ 切り込み
８（８ａ，８ｂ） 印
１０ 紐状体
１１ 取手部
２０，２１ 切り離しガイド片
Ｃ 内容物
【図１】
0005182885.tif 000002
【図２】
0005182885.tif 000003
【図３】
0005182885.tif 000004
【図４】
0005182885.tif 000005